(57)【要約】      （修正有）【課題】印刷面に汚れを生じさせることなく排紙テーブル上にシート束を連続して送り出すことができるコンパクトな排紙装置を提供すること。【解決手段】印刷されたシートＳ１をチェーンデリバリ１０によって積み重ね位置まで搬送し、その下方に昇降テーブル３０を設け、チェーンデリバリから排出されるシートを昇降テーブルで支持し、一定枚数のシートが支持された際にシャッタ２１を閉鎖する。シャッタの閉鎖後、昇降テーブルを下降させ、その下降路において停止する支持台４４と昇降テーブルとの間でシート束Ｓ０の受け渡しを行い、シート束が支持台で支持されると、支持台を循環路に沿って移動させる動作と、支持台の移動時に昇降テーブルを上限位置まで上昇させ、シャッタを開放してシートを昇降テーブル上に排出する動作とを繰り返し行い、循環路に沿って移動される支持台によってシート束を排紙テーブルの上面で支持される位置まで搬送する。【選択図】図１
2009073585.tif 000002
【特許請求の範囲】
【請求項１】
印刷が施されたシートの先端部を保持して積み重ね位置に搬送し、その積み重ね位置でシートの保持を解除してシートを落下排出させるシート搬送装置と、
前記シート搬送装置から落下排出されるシートを受取り、設定枚数のシートを受取ると、下限の停止位置まで下降する櫛歯状の昇降テーブルと、
その昇降テーブルの上限停止位置とシート搬送装置間に配置され、シートの落下路に臨む閉鎖状態でシート搬送装置から排出されるシートを受け、シートの落下路から退避する位置に向けての開放により受取ったシートを下方に落下排出する開閉可能なシャッタと、
前記昇降テーブルの下限位置に向けての下降時に、その昇降テーブル上の設定枚数のシートを受取って、その受取り位置より上位に配置された櫛歯状の案内溝を有する排紙テーブル上の位置まで搬送するシート束搬送装置とからなり、
前記シート束搬送装置が、水平状態を保持する状態で循環路に沿って一方向に一定ストローク間歇的に移動される複数の櫛歯状の支持台を有し、その支持台の循環路が、昇降テーブルの昇降路に臨む位置を支持台の停止位置とし、その停止位置から水平方向に延びる下部水平路と、その下部水平路の端に連続して上方に延びる上昇路と、その上昇路の端に連続して前記排紙テーブルの上面に沿って水平に延びる上部水平路と、その上部水平路の端から下向きに延びて前記下部水平路に至るリターン路を備えてなる排紙装置。
【発明の詳細な説明】
【技術分野】
【０００１】
この発明は、印刷機によって印刷された封筒等のシートを設定枚数積み重ねた状態で排紙テーブル上の位置まで送り出すようにした排紙装置に関するものである。
【背景技術】
【０００２】
印刷機によって印刷された封筒は、普通、設定枚数毎に区分して、箱詰めすることが行われている。その箱詰めを能率よく行うことができるようにするため、印刷された封筒等のシートを設定枚数積み重ねた状態で排紙テーブル上の位置まで送り出すようにした排紙装置が提案されている。
【０００３】
図６および図７は、従来から知られているこの種の排紙装置を示す。この排紙装置は、版胴１、ブランケット胴２および圧胴３からなる印刷ユニットＵにより印刷された封筒等のシートＳ１を印刷ユニットＵの下流側に配置されたチェーンデリバリ６０により積み重ね位置まで搬送して、その積み重ね位置に配置された開閉可能なシャッタ６１上に順次排出して積み重ねるようにしている。
【０００４】
そして、設定枚数のシートＳ１が積み重ねられたとき、そのシャッタ６１を開放して、下方に配置された排紙コンベヤ６２上に落下させ、上記排紙コンベヤ６２によって設定枚数のシートＳ１が支持されると、その排紙コンベヤ６２を駆動して、その設定枚数の積み重ねシートＳ１をシート束搬送装置６３に送り込み、そのシート束搬送装置６３によって上記排紙コンベヤ６２より上位に配置された排紙テーブル６４の位置まで送り込むようにしている。
【０００５】
ここで、シート束搬送装置６３は、上昇路Ｒ５、上部水平路Ｒ６、下降路Ｒ７および下部水平路Ｒ８からなる四辺形の循環路に沿って一方向に一定ストローク間歇的に移動される櫛歯状のＬ形の支持台６５を有し、その支持台６５が上昇路Ｒ５の下部で停止する待機位置で排紙コンベヤ６２から送り込まれてくるシート束Ｓ０を受け取り、その受け取り後に上昇路Ｒ５から、その上昇路Ｒ５に続く上部水平路Ｒ６に搬送し、その上部水平路Ｒ６から下降路Ｒ７に搬送するとき、上部水平路Ｒ６に配置された排紙テーブル６４との間でシート束Ｓ０の受け渡しを行うようにしている。
【発明の開示】
【発明が解決しようとする課題】
【０００６】
ところで、上記排紙装置においては、排紙コンベヤ６２によって印刷後のシートＳ１をシート束搬送装置６３に送り込むようにしているため、排紙装置が大型化するという不都合がある。
【０００７】
また、シャッタ６１の開放によって排紙コンベヤ６２上にシート束Ｓ０を落下排出させるようにしているため、シート束Ｓ０が排紙コンベヤ６２で受け止められた際の落下時の衝撃が大きく、その衝撃によって印刷面や、その印刷面に接触する隣接シートＳ１の裏面に汚れが生じ易いという不都合がある。
【０００８】
この発明の課題は、印刷面に汚れを生じさせることなく排紙テーブル上にシート束を連続して送り出すことができるようにしたコンパクトな排紙装置を提供することである。
【課題を解決するための手段】
【０００９】
上記の課題を解決するために、この発明においては、印刷が施されたシートの先端部を保持して積み重ね位置に搬送し、その積み重ね位置でシートの保持を解除してシートを落下排出させるシート搬送装置と、そのシート搬送装置から落下排出されるシートを受取り、設定枚数のシートを受取ると、下限の停止位置まで下降する櫛歯状の昇降テーブルと、その昇降テーブルの上限停止位置とシート搬送装置間に配置され、シートの落下路に臨む閉鎖状態でシート搬送装置から排出されるシートを受け、シートの落下路から退避する位置に向けての開放により受取ったシートを下方に排出する開閉可能なシャッタと、前記昇降テーブルの下限位置に向けての下降時に、その昇降テーブル上の設定枚数のシートを受取って、その受取り位置より上位に配置された櫛歯状の案内溝を有する排紙テーブル上の位置まで搬送するシート束搬送装置とからなり、前記シート束搬送装置が、水平状態を保持する状態で循環路に沿って一方向に一定ストローク間歇的に移動される複数の櫛歯状の支持台を有し、その支持台の循環路が、昇降テーブルの昇降路に臨む位置を支持台の停止位置とし、その停止位置から水平方向に延びる下部水平路と、その下部水平路の端に連続して上方に延びる上昇路と、その上昇路の端に連続して前記排紙テーブルの上面に沿って水平に延びる上部水平路と、その上部水平路の端から下向きに延びて前記下部水平路に至るリターン路を備えてなる構成を採用したのである。
【００１０】
上記の構成からなる排紙装置においては、印刷処理後のシートの先端部をシート搬送装置により保持して積み重ね位置まで搬送し、その積み重ね位置においてシートの保持を解除し、落下排出されるシートを昇降テーブルにより受取り、その昇降テーブル上にシートを順次堆積させると共に、シートを受取る毎に昇降テーブルを下降させる。
【００１１】
昇降テーブル上に一定枚数のシートが積み重ねられると、シャッタを閉じ、そのシャッタでシート搬送装置から排出されるシートを受ける。シャッタによるシートの受け取り時、昇降テーブルを下限位置まで下降させ、その下降路で停止する待機状態の支持台の位置を昇降テーブルが通過する際に、支持台との間でシート束の受け渡しを行う。
【００１２】
シート束が支持台で受け取られると、その支持台を下部水平路に沿って一定ストローク移動させ、昇降テーブルの昇降路から支持台が離れると、昇降テーブルを上昇させる。昇降テーブルが上限位置まで上昇して停止すると、シャッタを開放し、シャッタ上の数枚のシートを落下させ、その落下するシートを昇降テーブルで受ける。
【００１３】
以後、昇降テーブルによって一定枚数のシートが支持されたとき、シャッタを閉じ、そのシャッタの閉鎖後、昇降テーブルを下降させて、支持台との間でシート束を受け渡す動作、シート束の受け渡し後、支持台を循環路に沿って一方向に一定ストローク移動させる動作、支持台の移動後、昇降テーブルを上昇させ、上限位置まで移動させた停止後にシャッタを開放させる動作を順次繰り返し行うことによって排紙テーブル上にシート束を次々と送り込むことができる。
【発明の効果】
【００１４】
上記のように、この発明においては、シート搬送装置によって積み重ね位置まで搬送されて排出されるシートを昇降テーブルで受け、その昇降テーブル上に一定枚数のシートが積み重ねられる毎に昇降テーブルを下降させて、その下降路で停止する支持台との間でシート束の受け渡しを行い、支持台がシート束を受取る毎に、その支持台を循環路に沿って一方向に一定ストローク移動させることにより、排紙テーブル上にシート束を送り込むことができるため、図６に示す排紙コンベヤを不要とすることができ、コンパクトな排紙装置を得ることができる。
【００１５】
また、昇降テーブルを下降させて支持台との間でシート束の受け渡しを行い、その昇降テーブルが上限位置まで上昇するまでの間、シート搬送装置から排出されるシートを閉鎖状態とされたシャッタによって仮り受けし、その仮り受けされた数枚のシートをシャッタの開放によって下方で待機する昇降テーブル上に落下させるようにしたので、落下時の衝撃が小さく、印刷面に汚れが生じるという不都合の発生を無くすことができる。
【発明を実施するための最良の形態】
【００１６】
以下、この発明の実施の形態を図１乃至図５に基づいて説明する。図１に示すように、シートＳ１に印刷を施す印刷ユニットＵは、版胴１と、その下方に設けられたブランケット胴２と、そのブランケット胴２の下方に設けられた圧胴３とからなり、上記圧胴３とブランケット胴２間に向けて送り込まれるシートＳ１は、圧胴３に設けられたくわえ爪４により先端部が咥えられて、その圧胴３とブランケット胴２の接触部間に引き込まれ、両胴２、３の接触部間を通過することによって印刷が施されるようになっている。
【００１７】
印刷ユニットＵの下流側には、印刷後のシートＳ１を積み重ね位置に向けて搬送するシート搬送装置としてのチェーンデリバリ１０が設けられている。チェーンデリバリ１０は、圧胴３に対設された紙取り胴１１の両端部に一対のスプロケット１２を設け、その一対のスプロケット１２と下流側に設けられた一対のスプロケット１３間にチェーン１４を掛け渡し、左右で対向する一対のチェーン１４間に渡された爪ざお１５をチェーン１４の移動方向に等間隔に設け、各爪ざお１５に対してくわえ爪１６を開閉自在に設けている。
【００１８】
上記チェーンデリバリ１０は一対のチェーン１４を図１の矢印で示す方向に移動させ、上記圧胴３との間でシート先端部のくわえ換えを行なって、そのシートＳ１を積み重ね位置まで搬送し、その積み重ね位置でくわえ爪１６を開放して、シートＳ１を落下排出させるようにしている。
【００１９】
図１および図２に示すように、チェーンデリバリ１０から排出されるシートＳ１の排出部には、そのチェーンデリバリ１０から排出されるシートＳ１の先端を受け止めるフロントガイド２０と、そのフロントガイド２０で受け止められて落下するシートＳ１の両側を案内する左右一対の板状のシャッタ２１とが設けられている。各シャッタ２１は揺動自在の支持とされ、その揺動中心から垂れ下がる開放状態においてシートＳ１の落下を案内するようになっている。
【００２０】
また、一対のシャッタ２１は、図４に示すように、水平とされる閉鎖状態において、落下路を閉じ、チェーンデリバリ１０から排出されるシートＳ１を支持するようになっている。
【００２１】
図２および図３に示すように、シャッタ２１の下方には、そのシャッタ２１間から落下するシートＳ１を受けて下降動させる昇降テーブル３０が設けられている。昇降テーブル３０は櫛歯状とされ、シリンダ３１の作動によって昇降動されるようになっている。
【００２２】
昇降テーブル３０の一側方には、その昇降テーブル３０との間でシート束Ｓ０の受け渡しを行って前記チェーンデリバリ１０によるシートＳ１の搬送方向と交差する方向にシート束Ｓ０を搬送し、その受け渡し位置より下流側で、その受け渡し位置より上位に配置された排紙テーブル５０上にシート束Ｓ０を送り込むシート束搬送装置４０が設けられている。
【００２３】
シート束搬送装置４０は、対向一対のサイドプレート５１間に配置され、また、排紙テーブル５０は、その一対のサイドプレート５１の上部間に設けられている。
【００２４】
シート束搬送装置４０は、左右一対のチェーン４１に左右で対向する一対のブラケット４２をチェーン４１の移動方向に等間隔に固定し、その左右で対向するブラケット４２で支持軸４３の両端部を回転自在に支持し、各支持軸４３に側面Ｌ形の複数のプレート４４ａからなる櫛歯状の支持台４４を固定している。
【００２５】
また、一方のブラケット４２を貫通して外側部に位置する支持軸４３の一端部にリンク４５の一端部を固定し、リンク４５の他端部に連結されたブラケット４６を一方のチェーン４１の外側方に設けられた姿勢規制用のチェーン４８に固定し、その姿勢規制用チェーン４８と左右一対のチェーン４１の移動により、支持台４４を水平の姿勢を保つ状態で図５に示す循環路Ｒ０に沿って一方向に一定ストローク間歇的に移動させるようにしている。
【００２６】
ここで、循環路Ｒ０は、昇降テーブル３０の昇降路に臨む位置を支持台４４の停止位置とし、その停止位置から水平方向に延びる下部水平路Ｒ１と、その下部水平路Ｒ１の端に連続して上方に延びる上昇路Ｒ２と、その上昇路Ｒ２の端に連続して前記排紙テーブル５０の上面に沿って水平に延びる上部水平路Ｒ３と、その上部水平路Ｒ３の端から下向きに延びて前記下部水平路Ｒ１に至るリターン路Ｒ４からなっている。
【００２７】
図３に示すように、排紙テーブル５０には櫛歯状の案内溝５２が形成され、その案内溝５２に沿って支持台４４が移動自在とされている。
【００２８】
実施の形態で示す排紙装置は上記の構造からなり、印刷ユニットＵによって印刷されたシートＳ１はチェーンデリバリ１０のくわえ爪１６により先端部が保持されて積み重ね位置に向けて次々と搬送され、上記シートＳ１が積み重ね位置まで搬送されると、くわえ爪１６が開放して、シートＳ１の保持を解除し、その保持解除によって、シートＳ１はフロントプレート２０で先端が受け止められて落下排出される。
【００２９】
このとき、シートＳ１の落下路に設けられた一対のシャッタ２１は開放状態にあり、シートＳ１は一対のシャッタ２１により案内されて下方に配置された昇降テーブル３０上に落下し、その昇降テーブル３０上に順次積み重ねられる。
【００３０】
昇降テーブル３０はシートＳ１を支持する毎に下降し、その昇降テーブル３０上に一定枚数のシートＳ１が積み重ねられると、一対のシャッタ２１が閉鎖する。このため、チェーンデリバリ１０から排出される後続のシートＳ１は、図４に示すように、その一対のシャッタ２１によって次々と支持される。
【００３１】
一対のシャッタ２１が閉鎖すると、シリンダ３１の作動により昇降テーブル３０は下降し、その昇降テーブル３０が下降路で停止する支持台４４の位置を通過する際、支持台４４と昇降テーブル３０との間でシート束Ｓ０の受け渡しが行われる。
【００３２】
図４に示すように、シート束Ｓ０が支持台４４で受け取られ、昇降テーブル３０が下限位置まで下降して停止すると、シート束搬送装置４０の左右一対のチェーン４１および姿勢規制用のチェーン４８の移動により、支持台４４が下部水平路Ｒ１に沿って一定ストローク移動する。
【００３３】
シート束Ｓ０を支持する支持台４４が昇降テーブル３０の昇降路から離れると、シリンダ３１の作動により、昇降テーブル３０が上昇する。その昇降テーブル３０が上限位置まで上昇して停止すると、シャッタ２１が開放する。シャッタ２１の開放により、シャッタ２１上の数枚のシートＳ１は落下して昇降テーブル３０で受けられる。
【００３４】
以後、昇降テーブル３０によって一定枚数のシートＳ１が支持されたとき、シャッタ２１を閉鎖させる動作、シャッタ２１の閉鎖後に昇降テーブル３０を下降させて支持台４４との間でシート束Ｓ０を受け渡す動作、シート束Ｓ０の受け渡し後、支持台４４を循環路Ｒ０に沿って一方向に一定ストローク移動させる動作、支持台４４の移動後、昇降テーブル３０を上昇させ、上限位置まで移動させた停止後にシャッタ２１を開放させる動作が順次繰り返し行われる。
【００３５】
これらの動作の繰り返しによって、シート束搬送装置４０の支持台４４上にシート束Ｓ０が次々と運び込まれ、そのシート束Ｓ０は循環路Ｒ０に沿って一方向に一定ストローク間歇的に移動される支持台４４によって排紙テーブル５０の上側位置まで搬送される。
【００３６】
そして、支持台４４が上部水平路Ｒ３からリターン路Ｒ４に移動する際に、支持台４４上のシート束Ｓ０は排紙テーブル５０の上面で支持され、空の支持台４４がリターン路Ｒ４から下部水平路Ｒ１に戻される。
【００３７】
このように、昇降テーブル３０から支持台４４上に受け渡しされたシート束Ｓ０は、循環路Ｒ０に沿って一方向に一定ストローク間歇的に移動される支持台４４によって排紙テーブル５０の上側位置まで搬送されるため、図６に示すシート搬送コンベヤを不要とすることができ、コンパクトな排紙装置を得ることができる。
【００３８】
また、昇降テーブル３０を下降させて支持台４４との間でシート束Ｓ０の受け渡しを行い、その昇降テーブル３０が上限位置まで上昇するまでの間、チェーンデリバリ１０から排出されるシートＳ１を閉鎖状態とされたシャッタ２１によって仮り受けし、その仮り受けされた数枚のシートをシャッタの開放によりその下方で待機する昇降テーブル上に落下排出させるようにしたので、落下時の衝撃が極めて小さく、シートＳ１の印刷面やこれに接触するシートの裏面に汚れを生じさせることもない。
【図面の簡単な説明】
【００３９】
【図１】この発明に係る排紙装置の実施の形態を示す正面図
【図２】図１のシート束搬送装置を示す正面図
【図３】図２の平面図
【図４】昇降テーブルと支持台との間でシート束の受け渡しを行った状態を示す正面図
【図５】シート束搬送装置の支持台の循環路を示す正面図
【図６】従来の排紙装置を示す正面図
【図７】図６の側面図
【符号の説明】
【００４０】
Ｓ１    シート
Ｓ０    シート束
１０  チェーンデリバリ（シート搬送装置）
２０  フロントガイド
２１  シャッタ
３０  昇降テーブル
４０  シート束搬送装置
４４  支持台
５０  排紙テーブル
Ｒ０  循環路
Ｒ１  下部水平路
Ｒ２  上昇路
Ｒ３  上部水平路
Ｒ４  リターン路
【図１】
2009073585.tif 000003
【図２】
2009073585.tif 000004
【図３】
2009073585.tif 000005
【図４】
2009073585.tif 000006
【図５】
2009073585.tif 000007
【図６】
2009073585.tif 000008
【図７】
2009073585.tif 000009